(57)【特許請求の範囲】
【請求項１】
空気調和機の運転状態を表示する表示パネルを室内機に備え、前記表示パネルの使用者が視認する方向とは相対する方向に金属等の導電性の材料からなるハーフミラー膜を施し、前記室内機の外から前記表示パネルに入射する光を反射させるとともに、前記表示パネルの使用者が視認する方向とは相対する方向に設けられた光源から発せられる光は透過させる構成とした空気調和機において、
前記表示パネルに施されたハーフミラー膜の前記光源側には前記光源から発せられる光が透過することにより使用者が視認できるよう図柄が形成され、前記光が透過しない部分には透過率の低い低透明体膜を形成してなり、前記表示パネルの使用者が視認する方向とは相対する方向に、リモコンからの信号を受信するためのリモコン信号受信装置を備え、上記リモコン信号受信装置と上記ハーフミラー膜との間に絶縁手段を設けたことを特徴とする空気調和機。
【請求項２】
上記絶縁手段は、前記表示パネルのリモコン信号受信装置と対向する位置に絶縁塗装処理を施したことを特徴とする請求項１に記載の空気調和機。
【請求項３】
上記絶縁手段は、複数の層からなる絶縁手段としたことを特徴とする請求項１に記載の空気調和機。
【請求項４】
上記絶縁手段は、前記表示パネルのリモコン信号受信装置の表示パネル側に設けられた第１の絶縁手段と、前記表示パネルのリモコン信号受信装置と対向する位置に設けられた絶縁塗装処理とを併用したことを特徴とする請求項１に記載の空気調和機。
【発明の詳細な説明】
【０００１】
【発明の属する技術分野】
本発明は、空気調和機に関し、特に、文字や絵文字等の図柄を表示する表示手段を室内機に備えた空気調和機に関する。
【０００２】
【従来の技術】
従来から空気調和機の室内機には運転状態を表示する表示手段が設けられており、従来の表示手段の第１の例について図１２、図１３及び図１４を参照して説明する。図１２は、従来の表示手段の断面図であり、図１３は従来の表示手段を使用者が表示事項を確認する側を正面としたときの正面図であり、図１４は室内機の側面図である。
【０００３】
室内機の外観にかかる構成について図１４を用いて説明すると、室内機の外観を構成する筐体２０は、キャビネット４に前面パネル２を取付け、前面パネル２にオープンパネル３を取付けて構成される。
【０００４】
ここで、キャビネット４に対して前面パネル２が配置される方向を前方（図１４において向かって左方）とし、該前方に相対する方向を後方（図１４において向かって右方）と称することにする。
【０００５】
キャビネット４は、その前方側に室内機の内部に配置される熱交換器、送風機等の構成が支持されるものであり、後方側の面が部屋の壁に取り付けられるものである。また前面パネル２は、キャビネット４の前側に取り付けられた熱交換器、送風機等を覆うように形成されており、使用者から室内機内部が直視できないようにしている。そして、オープンパネル３は、前面パネル２の前面に着脱自在に取り付けられている。
【０００６】
更に、筐体２０の前方の面であって使用者から視認容易な位置には、室内機の運転状態を表示し該運転状態を使用者に報知するための表示パネル１０が取り付けられている。
【０００７】
従来の表示手段の構成について説明すると、従来の表示手段は、光源６と、該光源６を取付けるとともに空気調和機の使用状態に応じて前記光源６への通電の制御を行う回路基板５と、前記光源６に対して該回路基板５を配置した側と相対する側に前記回路基板と略平行に設けられた不透明な材料からなる表示パネル１０と、該表示パネル１０の一端に前面パネル２に取り付けるために設けられた係止爪１０ａ及び他端に設けられたフック１０ｂと、前記表示パネル１０の前記光源６と対向する個所に設けられ表示パネル１０を貫通する孔部１０ｃと、該孔部１０ｃに嵌めこまれるとともに一端が表面パネル１０のＬＥＤ配置側の面とは相対する側の面から突出し前記光源６から発せられた光を拡散して透過し前記表示パネル拡散体１１と、前記光源６から発せられた光を前記拡散体に案内する反射板７と、前記表示パネル１０の前記光源６の配置側とは相対する側の面の前記拡散体１１の配置位置の近傍に空気調和機の運転状態を記載した絵、文字、記号等を記載した図柄１２とからなる。
【０００８】
上記の構成を有した従来の表示手段は、空気調和機を所定の運転状態にしたとき、回路基板５が光源６に通電し、それによって光源６が点灯する。光源６から発せられた光は反射板７によって周囲への拡散を防止されて表示パネル１０に到達し、拡散体１１に入射される。拡散体１１に入射された光は拡散体１１を透過し表示パネル１０から突出した部分で拡散される。このようにして、拡散体１１から拡散された光が室内機の使用者に視認可能になる。このとき、前記図柄１２に示されている内容から、空気調和機の運転状態を理解することができるというものである。
【０００９】
また、従来の表示手段にかかる第２の例としては、実開昭５８−１０８３３３号公報に開示されているものがある。前記公報によると、表示手段は不透明な図柄が描かれた透明な板体からなるものであり、表示手段に対し使用者の視認する方向とは相対する方向に光源を設け、該光源を点灯させることにより前記図柄の影が浮かび上るように表示して使用者に空気調和機の運転状況を報知するものが記載され、更には、板体と光源との間に光を拡散する乳白色の拡散板を設けて、使用者が視認する側から光が入射したときに、室内機の内部を視認できないようにする構成が記載さえている。
【００１０】
【発明が解決しようとする課題】
しかしながら、第２の例である上記の実開昭５８―１０８３３３号公報に開示された空気調和機の構成では、板体の使用者が視認する側の面から入射した光が板体を透過すると、透過した光は拡散板によって反射され、その反射された光によって図柄が使用者に視認可能になることがある。
【００１１】
かかるような場合は、光源によって図柄が視認可能になったのか、使用者が視認する側の面から入射した光によって視認可能になったのかの区別がつかず、そのため、使用者が表示手段を視認しても空気調和機がいかなる運転状態であるのかは認識できないことになり、問題があった。
【００１２】
また、例えば、乳白色の図柄が視認されることになる。このため、表示パネルに外光が入射され視認可能となった図柄と、光源の点灯によって視認可能となった図柄との区別がつきにくくなる。従って、このようなときには、空気調和機の運転状態を把握できないことになり、使用者が運転状態を見誤るなどの問題があった。
【００１３】
また、第１の例に記載した空気調和機の構成では、図柄自体は点灯するものでも、図柄の周囲を点灯させて図柄の影を表示するものでもなく、例えば就寝時のような空気調和機を設置した部屋を暗くした状況では、運転状態を確認することはできないという問題があった。
【００１４】
上記の問題を解決する為に、表示手段の表示パネルにハーフミラー膜を施したものがあるが、このような表示手段とした場合であって、使用者が空気調和機を遠方から操作可能にするためのリモコンからの信号を受信するためのリモコン信号受信装置を空気調和機に設けようとすると、表示手段以外にもリモコン信号受信装置用のカバーを筐体に設ける必要がある、部品点数が増加するという問題があった。
【００１５】
また、ハーフミラー膜を施した表示パネルを、リモコン信号受信装置用のカバーと兼用する場合は、ハーフミラー膜が帯電し、ハーフミラー膜とリモコン信号受信装置との間で、短絡が生じるという問題がある。
【００１６】
【課題を解決するための手段】
上記の課題を解決するために、本発明は、空気調和機の運転状態を表示する表示パネルを室内機に備え、前記表示パネルの使用者が視認する方向とは相対する方向に金属等の導電性の材料からなるハーフミラー膜を施し、前記室内機の外から前記表示パネルに入射する光を反射させるとともに、前記表示パネルの使用者が視認する方向とは相対する方向に設けられた光源から発せられる光は透過させる構成とした空気調和機において、前記表示パネルに施されたハーフミラー膜の前記光源側には前記光源から発せられる光が透過することにより使用者が視認できるよう図柄が形成され、前記光が透過しない部分には透過率の低い低透明体膜を形成してなり、前記表示パネルの使用者が視認する方向とは相対する方向に、リモコンからの信号を受信するためのリモコン信号受信装置を備え、上記リモコン信号受信装置と上記ハーフミラー膜との間に絶縁手段を設けた構成を有している。
【００１８】
さらに、本発明は、絶縁手段を前記表示パネルのリモコン信号受信装置と対向する位置に絶縁塗装処理を施した構成としている。
【００１９】
そして、本発明は、絶縁手段を複数の層からなる絶縁手段とした構成としている。
【００２０】
またさらに、本発明は、絶縁手段を前記表示パネルのリモコン信号受信装置の表示パネル側に設けられた第１の絶縁手段と、前記表示パネルのリモコン信号受信装置と対向する位置に設けられた絶縁塗装処理とを併用した構成としている。
【００２１】
【発明の実施の形態】
本発明の実施の形態を図面を参照して説明する。説明の便宜上、従来の技術の項に記載した構成と同一の構成については同一の符号を付している。図１は本発明の実施の形態にかかる空気調和機の室内機の一例を示す斜視図であり、図２は図１に記載した空気調和機の側面図である。
【００２２】
室内機の外観にかかる構成について図１乃至図２を用いて説明すると、室内機の外観を構成する筐体２０は、キャビネット４に前面パネル２を取付け、前面パネル２にオープンパネル３を取付けて構成されるものである。
【００２３】
ここで、キャビネット４に対して前面パネル２が配置される方向を前方（図２において向かって左方）とし、該前方に相対する方向を後方（図２において向かって右方）と称する。
【００２４】
キャビネット４は、その前方側に室内機の内部に配置される熱交換器、送風機、制御部等（図示せず）の構成が支持されるものであり、後方側の面が当該室内機を使用者の部屋に取付ける際、壁に取り付けられる面となる。また、キャビネット４の一面には、前記送風機の運転により発生する気流を室内機外から室内機内に吸込むための吸込み口４ｂが設けられており、該吸込み口４ｂは室内機を使用するために部屋に設置した状態（以下、設置状態と称する）において天井を向く方向の面となり、この面を上面と称する。また、キャビネット４の該上面に相対する側の面（図示せず）を下面と称し、該下面に対して上面が配置された方向を上方とし、前記上面に対して前記下面が配置される方向を下方とする。上記した室内機の内部に配置される熱交換等の部品は、空気調和機として一般的に具備すべき周知の部品であるればよいため、説明は省略する。
【００２５】
さらに、キャビネット４の側面は、水平に延びる縞状の突起４ａがエッチング加工により形成されている。これは、使用者の目の錯覚が生じてキャビネット４の奥行きが狭く感じさせるための構成であり、これによって、圧迫感をより低減することができる。尚、突起４ａに替えて、キャビネット４に縞模様を印刷してもよい。また、縞模様が印刷された粘着シートを接着してもよい。
【００２６】
前面パネル２は、キャビネット４の前方側に取り付けられた熱交換器、送風機、制御部等を覆うように形成されており、使用者から室内機内部が直視できないようにしている。また、前面パネルの上面には前記送風機の運転により発生する圧力差により室内機の外の空気を室内機の内に吸込むための吸込み口３ｂが設けられている。
【００２７】
前面パネル２の斜視図を図３に示すと、前面パネル２は樹脂材料を射出成形等の成形手段にて成形したものであり、その成形時に表示パネル１を取りつけるための凹部２ｃが形成されている。
【００２８】
また、前記前面パネル２の前方側にはオープンパネル３が、着脱自在かつ開閉自在に設けられており、その開閉動作によりオープンパネル３と前面パネル２との間に配置され前記送風機の動作によって吸込まれる空気の中に含まれる塵埃を除去するためのフィルタ（図示せず）の清掃作業を容易にしている。
【００２９】
そして、オープンパネル３には、室内機外と室内機内とを連通する水平方向に伸びた通気口を複数有し室内機外と室内機内とを通風可能に構成するとともに、室内機内が使用者からは見えないようにするためのグリル３ｂを有している。
【００３０】
更に、前記前面パネル２の側面はキャビネット４の側面４ａと同一平面ではなく、前面パネル２の側面がキャビネット４の側面４ａよりも側方に突出した形状としている。これにより、省エネルギー化を図るために熱交換量を大きくして熱交換器を大型にした際に、筐体２０が大きくなっても奥行きＤが狭く感じられ、使用者の圧迫感を低減して快適な室内空間を得られるのである。
【００３１】
オープンパネル３の下方であって前面パネル２の前方面には、水平方向に伸びた表示パネル１が取り付けられる。表示パネル１は前記凹部２ｃに水平方向にスライドすることによって装着され、凹部２ｃに設けた係止爪２ｄにより係止されるようになっている。
【００３２】
次に、本実施の形態における表示手段１００およびその配置に関する構成について図４乃至図８とともに説明する。図４は、前記表示手段１００を前後方向に伸びる垂直な平面で切ったときの断面における断面図であり、図５と図６は前面パネルの凹部の一部の構成示す斜視図であり、図７は表示パネル１の全体を示す斜視図であり、図８は図４の断面の構成に関して表示パネル１の光源６側の面の構成のみを拡大して示した断面図である。
【００３３】
表示手段１００の構成について説明すると、表示手段１００は、ＬＥＤ等のように電力によって光を発する発光素子からなる光源６と、該光源６を取付けるとともに空気調和機の使用状態に応じて前記光源６への通電の制御を行う回路基板５と、前記光源６に対して該回路基板５を配置した側と相対する側に前記回路基板と略平行に配置された表示パネル１と、前面パネル２の前記光源６と対向する位置に設けられた前記前面パネル２を貫通する開口部２ｇと、該開口部２ｇに一端が嵌めこまれるとともに前記光源６から発せられた光を前記表示パネルに案内する反射板７とを有している。
【００３４】
表示パネル１は、その材料は、例えばガラス又は透明樹脂等の光の透過率の高い材料であり、その形状は、長方形の一方の長辺の両端を短辺から所定の厚みだけ突出させた（この突出した部分をブラケット部１ａと称する）断面形状をしており、該断面を所定の長さだけ延設した形状をしている。また、このブラケット部１ａには、長さ方向の所定の個所に図７に示すように被係止部１ｄが設けられている。
【００３５】
また、表示パネル１の配置は、長方形状の断面の長辺の一方を光源６の配置側に配置し、他方を使用者が視認可能な前方側に配置するが、光源６の配置側の長辺を延設した面（以下、裏面１ｃと称する）は平らな面であるのが望ましく、前方側の面は平らであってもある程度の極率を有していてもよい。尚、図面の記載は所定の極率を有した形状の場合について記載している。
【００３６】
さらに、この極率を、表示パネル１の近傍の筐体２０が有する極率と略同一の極率にすると面一になって外観上優れたものとなり、更には、該極率を有する場合は、極率を有しない場合に比べて、後述するように図柄１２を大きくするように発光させることも可能である。図柄１２を大きく表示することによって、使用者が表示事項を容易に確認することが可能となる。
【００３７】
表示パネル１の裏面１ｃの構成は、図８に拡大して示されており、裏面１ｃには、光を反射する例えばアルミニウム等の金属からなる薄膜が、蒸着やスパッタといった成膜手段によって略全面に形成されている。このとき、その膜厚および又は材料を所定の値に調整することにより、光源６の光は透過可能な程度の光の透過率を有するハーフミラー膜１５が形成される。また、例えば該ハーフミラー膜１５を上記した様に光を反射するアルミニウムで形成した場合は、ハーフミラー膜１５は導電性を有することになる。
【００３８】
前記ハーフミラー膜１５の光源６の配置側には、所定の図柄１２を形成する。この図柄１２の形成は、図柄１２を除く略全面に光の透過率の低い面を形成すべく、黒系統の色を有した不透明体から成る不透明体膜１６を蒸着又はスパッタによって成膜するか、シールを貼り付けるなどして形成されている。これにより、図柄１２が形成された部分は図柄１２を除く部分に比べて光の透過率が高く、光源６で発っせられた光を良く透過することができる。かかる構成を有する例を図９に示すと、図柄１２として「Ｌ」の文字を選択した場合は、符号１２ｂに示したように「Ｌ」の内側を光が透過する文字（図９において斜線部は光が透過され周囲よりも明るく輝いている状態を示している。）とすることができる。
【００３９】
また、上記の構成では図柄１２が形成された部分は図柄１２を除く部分に比べて光の透過率が高くするよう構成したが、図柄１２が形成された部分を図柄１２を除く部分よりも光の透過率が低くするよう構成した場合は、例えば、図柄１２として「Ｌ」の文字を選択したときは、図９の符号１２ａに示したように「Ｌ」の周囲を光が透過する文字１２ａとすることができる。
【００４０】
なお、図柄１２として上記の例では「Ｌ」なる文字を例としたが、暖房や冷房などの運転状態を示す文字や、矢印等の記号、除湿運転中をしめす絵文字等により図柄１２を形成してもよいのはもちろんである。
【００４１】
次に、表示手段１００の表示動作について説明すると、空気調和機が所定の状態になったとき、回路基板５から光源６に電力が供給され光源６が発光する。光源６から発せられた光は、反射板７により略減衰することなく表示パネルの配置方向に放出される。放出された光は表示パネル１に入射するとき、不透明体膜１６が形成された部分に入射しようとした光は、該不透明体膜１６によって吸収又は反射されて光が略透過せず、不透明体膜１６が形成されていない部分に入射した光が吸収又は反射されずハーフミラー膜１５に入射される。ハーフミラー膜１５に入射された光のうち一部がハーフミラー膜１５を透過して使用者に視認されるように点灯することになる。
【００４２】
次に、表示パネル１の取付けについて説明すると、前面パネル２に設けられた凹部２ｃの要部の詳細は図５に示すように構成されている。凹部２ｃの下面の後方側には水平方向に延びる溝部２ｅが形成されている。凹部２ｃの上面には数カ所の爪部２ｄと、所定の個所に設けられた係止部２ｆが形成されている。また、図６に示すように、凹部２ｃの後方面には該後方面から前方に突出する前後方向に弾性変形可能な押圧部２ｈが形成されている。
【００４３】
上記のような構成として、表示パネル１を前面パネル２の側方から水平方向にスライドして凹部２ｃに挿入する。すると、表示パネル１が押圧部２ｈにより前方へ押圧されて前面パネル２のブラケット部１ａが爪部２ｄ及び溝部２ｅに当接し、前面に押し当てられるようになっている。
【００４４】
所定の位置まで表示パネル１を挿入していくと、凹部２ｃの上部に設けられた係止部２ｆが表示パネル１の上端に設けられた被係止部１ｒに係合して固定される。それにより、表示パネル１が水平方向に移動するのを防止し、配置位置を決ることができる。
【００４５】
尚、オープンパネル３の下端に設けられた係合部３ｂは爪部２ｄに係合し、オープンパネル３が前面パネル２の前面に係止するように構成して前記爪部２ｄが使用者からは視認できないように構成するのが望ましい。
【００４６】
次に、光源６が消灯され空気調和機の外方から入射する外光が表示パネル１に入射した場合について説明する。外光が表示パネル１に入射すると、外光は表示パネル１に設けられたハーフミラー膜１５で一部が反射することになる。この反射した光は、ブラケット部１ａが設けられている面とブラケット部１ａとを分けるための境界線１ｄ近傍を照らすことになる。
【００４７】
その結果、表示パネル１にはブラケット部１ａ及び境界線１ｄの像が映し出されることになり、図柄１２は表示されず使用者には視認されない。従って、外光によって図柄１２が視認されるおそれがなくなり、光源６からの光が照射された図柄１２のみが視認されることになる。これによって、空気調和機の運転状態を明確に把握して誤認を防止することができる。
【００４８】
尚、表示パネル１の裏面１ｃを曲面や凹凸面にすると、反射像が歪みを生じて美観を損ねるため、裏面１ｃを平面に形成する方がより望ましい。
【００４９】
また、前記境界線１ｄを水平方向に直線状にしておくと反射像が直線となり、前面グリル３ａ（図１参照）の桟、表示パネル１の長手方向及び突起４ａ（図１参照）と平行になってデザインが統一されて美観を向上させることができる。
【００５０】
また、ブラケット部１ａの厚みを薄くすることによって、境界線１ｄの反射像を上下端面に接近して見えるようにすることができる。これにより該反射像を目立たなくすることができ、より美観を向上させることができる。
【００５１】
さらに、ハーフミラー膜１５の不透明体膜１６が形成されない部分の上に拡散体膜１７を配置するようにすると、光源６から射出された光が前記拡散体膜１７で均一に拡散した後、図柄１２に照射されることになる。従って、図柄１２から光が均一に射出されるため光の照射斑がなくなり、より使用者の視認性を向上させることができる。
【００５２】
またさらに、前記拡散体膜１７を着色することによって、図柄１２から簡単に所望の色の光を射出させることができる。これにより、運転状態を表示する図柄１２毎に発光色を変更すれば、より明確に運転状態を把握することができる。
【００５３】
尚、光源６の前方に拡散体１８を設置した場合であっても同様の効果を奏することができる。この拡散体１８を使用した効果は、図柄１２を光らせる場合あっても、図柄１２を除く部分を光らせ図柄の影を表示する場合であっても同様に奏するものである。
【００５４】
また、表示パネル１の前方面に図柄１２のみ若しくは図柄１２を除く部分に不透明体膜１６を形成し、さらにその前方にハーフミラー膜１５を形成しても同様の効果を得ることができるが、表示パネル１の裏面に図柄１２を形成する方が空気調和機の使用による図柄１２の傷付きを防止することができるのでより望ましい。
【００５５】
次に、使用者が空気調和機の運転操作を指示するためのリモコンからの信号を受けるリモコン信号受信装置を空気調和機の室内機に備える場合であって、前記表示パネル１の後方に、上記の実施の形態に説明した構成に加えて前記リモコン信号受信装置を備える場合の構成について、図１１を参照して説明する。図１１において、上記の実施の形態と同一の構成については同一の記号を付して記載し、ここでは変更点のみ記載することにする。上記の実施の形態に説明した構成に加えて前記リモコン信号受信装置を備えるのは、かかる構成とすることによって、別途にリモコン受信装置の受信用のカバーを施す必要がないからである。
【００５６】
図１１において、２１はリモコン信号受信装置であり、表示パネル１の後方に対向して設けられた回路基板５に取り付けられたもので、上記の実施の形態では光源６、反射板７の構成に代わるものである。
【００５７】
前記リモコン信号受信装置２１の前方面には絶縁シート等からなる第１の絶縁手段２３が貼りつけられている。なお、絶縁シート２３の絶縁塗装処理を施しても同様の構成とすることができる。
【００５８】
リモコン信号受信装置２１と対向する前面パネル２の凹部２ｃには、上記の実施の形態と同様に開口部２ｍが設けられるが、該開口部２ｇの前方および又は後方には透明な絶縁シート等からなる第２の絶縁手段２４が開口部２ｍを覆うように装着されている。
【００５９】
また、表示パネル１のリモコン信号受信装置２１と対向する部分には、ハーフミラー膜１５、不透明体膜１６を施こす代わりに絶縁塗装処理２２（第３の絶縁手段）を施している。（ハーフミラー膜１５、不透明体膜１６の上から第３の絶縁手段を施してもよい）。
【００６０】
このように、リモコン信号受信装置２１を設ける場合に電気絶縁性を高める為に、第１の絶縁手段、第２の絶縁手段および又は第３の絶縁手段を設けるのは、表面パネルにハーフミラー膜１５を施した場合は、ハーフミラー膜１５にアルミニウムなどの導電性材料を使用しているため、ハーフミラー膜１５が静電気等の影響によって帯電して、リモコン信号受信装置２１とハーフミラー膜１５との間で短絡することがあるためである。
【００６１】
リモコン信号受信装置２１はリモコンからの信号を受信するものであるため、信号が入射する開口部２ｍになるべく近い方が望ましい。これは、リモコンの入射角は開口部２ｍとの距離と相関があり、この距離が近いほど入射角を広くすることができるからである。
【００６２】
ところが、上記したように、リモコン信号受信装置２１をハーフミラー膜１５に近づければその分、両者の絶縁性は低下するのは明らかであり、その絶縁性を担保する絶縁手段が必要になるからである。
【００６３】
従って、表示パネル、前面パネル、リモコン信号受信装置で構成される受信部の各々に絶縁シートの貼付ける等して絶縁塗装処理をすることにより、電気絶縁性を向上させることによって、リモコン信号受信装置２１とハーフミラー膜１５との間で短絡することがなく、絶縁性能を向上させることができ、それによってリモコン受信装置２１は安定して動作可能となるのである。
【００６４】
【発明の効果】
本発明によると、前記リモコン信号受信装置ようのカバーを別途筐体に設ける必要がなく、部品点数を少なくするとともに、複数個のカバーを筐体表面に設ける必要がないため、筐体の構成を簡単にすることが可能ある。
【００６５】
また、本発明によると、リモコン信号受信装置と表示パネルのハーフミラー膜との間の絶縁性を十分に保つことができるため、上記の効果に加えて、ハーフミラー膜が帯電した場合であってもリモコン信号受信装置に短絡することがなく、それによって、リモコン受信装置を表示パネル側に近づけることが可能となり、リモコン受信装置がリモコンから受ける信号の入射角を広げることが可能となるのである。
【図面の簡単な説明】
【図１】本発明の実施の形態にかかる空気調和機の室内機の一例を示す斜視図である。
【図２】図１に記載した空気調和機の側面図である。
【図３】図１の空気調和機の前面パネルを示す斜視図である。
【図４】前記表示手段を前後方向に伸びる垂直な平面で切ったときの断面における断面図である。
【図５】前面パネルの凹部の一部の構成示す斜視図である。
【図６】前面パネルの凹部の一部の構成示す斜視図である。
【図７】表示パネル１の全体を示す斜視図である。
【図８】図８は図４の断面の構成に関して表示パネル１の光源６側の面の構成のみを拡大して示した断面図である。
【図９】図７の表示パネルを示す正面図である。
【図１０】図４の空気調和機の表示部を示す側面断面図である。
【図１１】本発明の実施の形態にかかる空気調和機のリモコン信号受信装置の配置部の断面図である。
【図１２】従来の表示手段を示す断面図である。
【図１３】従来の表示手段を使用者が表示事項を確認する側を正面としたときの正面図である。
【図１４】従来の室内機の側面図である。
【符号の説明】
１、１０  表示パネル
１ａ  ブラケット部
２  前面パネル
２ｃ  凹部
３    オープンパネル
４    キャビネット
４ａ  突起部
５    回路基板
６    光源
７    反射板
１１、１８  拡散体
１２    図柄
１５    ハーフミラー膜
１６    不透明体膜
１７    拡散体膜
２０    筐体
２１    リモコン信号受信装置
２２    絶縁塗装処理（第３の絶縁手段）
２３    第１の絶縁手段
２４    第２の絶縁手段
【図１】
0003850221.tif 000002
【図２】
0003850221.tif 000003
【図３】
0003850221.tif 000004
【図４】
0003850221.tif 000005
【図５】
0003850221.tif 000006
【図６】
0003850221.tif 000007
【図７】
0003850221.tif 000008
【図８】
0003850221.tif 000009
【図９】
0003850221.tif 000010
【図１０】
0003850221.tif 000011
【図１１】
0003850221.tif 000012
【図１２】
0003850221.tif 000013
【図１３】
0003850221.tif 000014
【図１４】
0003850221.tif 000015